(57)【要約】【目的】円筒状本体内部に被濾液入口より流し込んだ洗浄液が内部で滞留するような死角部を形成することがなく、円筒状本体内部及び濾過体の全体を有効に洗浄できるラインフィルターを提供する。【解決手段】円筒状本体１の一端側に被濾液入口２を円筒状本体１と直交する向きに突設すると共に、円筒状本体１の他端側開口部１ｂに濾液出口３を同心状に設け、円筒状本体１の内部には円筒状の濾過体４を同心状に挿入配備し、この濾過体４の外周側に被濾液導入部５を形成し、円筒状本体の１一端側開口部１ａを閉塞する蓋体６を設けてなるラインフィルターにおいて、被濾液入口２を円筒状本体１の一端部ぎりぎりの位置に設ける。【選択図】        図１
2004275812.tif 000002
【特許請求の範囲】
【請求項１】
円筒状本体の一端側に被濾液入口を円筒状本体と直交する向きに突設すると共に、円筒状本体の他端側開口部に濾液出口を同心状に設け、円筒状本体の内部に円筒状の濾過体を挿入配備して、この濾過体の外周側に被濾液導入部を形成し、円筒状本体の一端側開口部を閉塞する蓋体を設けてなるラインフィルターにおいて、被濾液入口部を円筒状本体の一端部ぎりぎりの位置に設けたことを特徴とするラインフィルター。
【請求項２】
被濾液入口は、その内周面の外側端が円筒状本体の一端側開口部を閉塞している蓋体の内側面上に略位置するようになっていることを特徴とする請求項１に記載のラインフィルター。
【請求項３】
円筒状本体の所要部に点検用覗き窓を設けてなることを特徴とする請求項１又は２に記載のラインフィルター。
【発明の詳細な説明】
【０００１】
【発明の属する技術分野】
本発明は、主として食品工業や医薬品工業において各種液体を濾過するのに使用されるラインフィルターに関するものである。
【０００２】
【従来の技術及びその課題】
従来におけるこの種のラインフィルターは、公知文献を具体的に挙げることは出来ないが、円筒状本体の一端側に被濾液入口を円筒状本体と直交する向きに突設すると共に、円筒状本体の他端側開口部に濾液出口を同心状に設け、また円筒状本体の内部には円筒状の濾過体を同心状に挿入配備して、この濾過体の外周側に被濾液導入部を形成し、そして円筒状本体の一端側開口部を閉塞する蓋体を、濾過体と一体に挿脱できるように設けてなるものである。
【０００３】
しかして、この従来のラインフィルターでは、被濾液を供給するために円筒状本体の一端側に設けられる被濾液入口が、円筒状本体の一端側開口部を閉塞する蓋体の内側面位置から円筒状本体の軸方向内方側へ離れた位置に設けられていることから、ラインフィルターの内部を洗浄するために被濾液入口より洗浄液を流し込む際に、蓋体の内側面と被濾液入口部との間の空間部分がいわゆる死角部となって、被濾液入口より流し込んだ洗浄液がその空間部分に滞留し、円筒状本体内部及び濾過体の全体を有効に洗浄することができなかった。
【０００４】
本発明は、上記の課題に鑑み、円筒状本体内部に被濾液入口より流し込んだ洗浄液が滞留するような死角部を形成することがなく、円筒状本体内部及び濾過体の全体を有効に洗浄できるようにしたラインフィルターを提供することを目的とする。
【０００５】
【課題を解決するための手段】
請求項１に係る発明は、円筒状本体１の一端側に被濾液入口２を円筒状本体１と直交する向きに突設すると共に、円筒状本体１の他端側開口部１ｂに濾液出口３を同心状に設け、円筒状本体１の内部に円筒状の濾過体４を挿入配備して、この濾過体４の外周側に被濾液導入部５を形成し、円筒状本体の１一端側開口部１ａを閉塞する蓋体６を設けてなるラインフィルターにおいて、被濾液入口２を円筒状本体１の一端部ぎりぎりの位置に設けたことを特徴とする。
【０００６】
請求項２は、請求項１に記載のラインフィルターにおいて、被濾液入口２は、その内周面の外側端Ｓが円筒状本体１の一端側開口部１ａを閉塞している蓋体６の内側面６ａ上に略位置するようになっていることを特徴とする。
【０００７】
請求項３は、請求項１又は２に記載のラインフィルターにおいて、円筒状本体１の所要部に点検用覗き窓１８を設けてなることを特徴とする。
【０００８】
【発明の実施の形態】
図１は本発明に係るラインフィルターの一実施形態を示す半断面正面図、図２は同ラインフィルターの平面図、図３は同ラインフィルターの一端部側の拡大詳細断面図である。これらの図において、１はステンレス製の円筒状本体であり、２は円筒状本体１の一端側に円筒状本体１と直交する方向に一体に突設された被濾液入口、３は円筒状本体１の他端側開口部１ｂにこれと同心状に設けられた濾液出口である。
【０００９】
４は円筒状の濾過体で、円筒状本体１の内部に同心状に挿入配備されていて、この濾過体４の外周側には、前記被濾液入口２から円筒状本体１内に供給される被濾液を濾過体４の長手方向全域からこの濾過体４を通過させて濾過を行わせるようにするための被濾液導入部５が形成されている。また、６は円筒状本体１の一端側開口部１ａを閉塞するステンレス製の蓋体で、この蓋体６は、濾過体４と一体的に設けられていて、蓋体６の着脱と同時に濾過体４の挿脱ができるようになっている。
【００１０】
被濾液入口２は、円筒状本体の一端部ぎりぎりの位置に設けられている。具体的に、この被濾液入口２は、図３から分かるように、当該入口２の内周面２ａの外側端Ｓが円筒状本体１の一端側開口部１ａを閉塞している蓋体６の内面６ａ上に略位置するように設けられ、これによって被濾液入口２より円筒状本体１の内部に洗浄液を流し込む際に蓋体６の内側面６ａと被濾液入口２との間に死角部（液体が滞留する部分）ができないようになっている。
【００１１】
尚、この実施形態では、被濾液入口２を、その内周面２ａの外側端Ｓが蓋体６の内面６ａ上に略位置するように設けているが、その内周面２ａの外側端Ｓが蓋体６の内面６ａ上から多少離れた位置にあってもよい。但し、この実施形態のように被濾液入口２の内周面２ａの外側端Ｓが蓋体６の内面６ａ上に略位置するように設けるのが、蓋体内側面６ａと被濾液入口２との間に死角部ができないようにするのに最も有効である。
【００１２】
円筒状本体１の一端部には外広がり状の蓋体嵌合部７が一体形成されている。また円筒状本体１の他端側開口部１ｂに設けられた濾液出口３は、その内径が濾過体４の内側にある円筒状補強枠８の内径より小さくなるように形成されている。そして、濾液出口３の内端部には濾過体取付用段部９が形成されている。
【００１３】
濾過体４は、円筒状に形成された焼結金網からなるもので、これの内側にステンレス製の円筒状補強枠８が挿入配置される。補強枠８は、ステンレス製のパンチングメタルからなるものである。図３から分かるように、円筒状濾過体４の両端部は、ステンレス製の取付リング１０，１１にそれぞれ外嵌され、この濾過体４内に挿入された円筒状補強枠８の両端部は、取付リング１０，１１にそれぞれ内嵌され、しかして円筒状濾過体４及び補強枠８の両端側にそれぞれ取付リング１０，１１が取り付けられた状態となっている。
【００１４】
円筒状濾過体４及び補強枠８の一端側にある取付リング１０は蓋体６の内側面６ａに固着され、他端側にある取付リング１１は、濾液出口３の内端部の濾過体取付用段部９に係合可能な取付枠１２が取り付けられている。従って、円筒状濾過体４、これに挿入される補強枠８、蓋体６及び取付枠１２は、取付リング１０，１１を介して一体に組み付けられて、ユニット構造体Ｕを形成し、円筒状本体１に対しその一端側開口部１ａから出し入れできるようになっている。
【００１５】
蓋体６は円筒状本体１の一端部の蓋体嵌合部７に嵌合可能な形状に形成され、この蓋体６の外周面内端部と蓋体嵌合部７の内周面内端部との間に水密パッキン１３が介装されるようになっている。また、蓋体６の外側面には、ユニット構造体出し入れ用の把手１４が突設されている。尚、１５は蓋体６を円筒状本体１の一端部の蓋体嵌合部７に嵌合した状態に固定するクランプで、一対の半円状クランプ本体１６，１６を蓋体嵌合部７のテーパ部７ａと蓋体６の外周テーパ部６ａとに嵌合させて締付ボルト１７で締め付けるようになっている。
【００１６】
また、図１及び図２に示すように、円筒状本体１の例えば中央部に両側一対の点検用覗き窓１８，１８が設けられている。各点検用覗き窓１８は、円筒状本体１に開口された窓開口部１９と、この窓開口部１９にパッキン２０を介して嵌合されるステンレス製のガラス取付枠２１と、このガラス取付枠２１に取り付けられたガラス２２と、ガラス取付枠２１の外側に配置されるステンレス製のガラス押え枠２３と、このガラス押え枠２３を窓開口部１９の周枠１９ａに固定するためのクランプ２４とからなる。クランプ２４は、前記クランプ１５と同じ構成であるため、同じ構成部材には同じ符号を付して説明を省略する。
【００１７】
上記のように構成されるラインフィルターの使用において、被濾液入口２より食品材料の被濾液を加圧供給すると、この被濾液は、濾過体４の外周側の被濾液導入部５に流れ込んで、この被濾液導入部５から濾過体４を通過して濾過され、その濾液が濾過体４の内部を通って濾液出口３より外部へ排出される。
【００１８】
また、上記のようにしたラインフィルターを使用した後、このラインフィルターの内部を洗浄するために被濾液入口２より洗浄液を流し込むと、被濾液入口２より流し込んだ洗浄液は、濾過体４の外周側の被濾液導入部５に流入しながら、濾過体４及びその内側の補強枠８を通過して、これら濾過体４及び補強枠８、更に蓋体６の内側面側や濾液出口３部分を洗浄するわけであるが、この際に、被濾液入口２が円筒状本体の一端部ぎりぎりの位置に設けられているため、被濾液入口２からそのまま真っ直ぐ濾過体４とその内側の補強枠８を通過した液体がその内部で滞留する、いわゆる死角部ができなくなって、蓋体６の内側面６ａ部分、この内側面６ａ部分に近い濾過体４及び補強枠８の端部をも十分に洗浄することができ、従って円筒状本体１の内部、濾過体４及び補強枠８の全体を隅々まで有効に洗浄することができる。
【００１９】
また、ラインフィルターの使用中には、円筒状本体１の中央部に設けてある点検用覗き窓１８を通して、円筒状本体１の内部での濾液の濾過状態や濾過体４の目の詰まり状態などを確認することができる。しかして、例えば濾過体４の目詰まり状態を確認したならば、濾過作業を中断して、前記ユニット構造体Ｕを円筒状本体１から抜き出し、濾過体４を新しいものと交換したり、濾過体４の洗浄を行うことができる。
【００２０】
また、このラインフィルターでは、濾過体４内に補強枠８を挿入配備して、濾過体４をバックアップしているから、被濾液入口２から円筒状本体１内に加圧供給された濾液の圧力で濾過体４が変形したり破損するようなことがない。尚、この実施形態では、補強枠８をパンチングメタルによって形成しているが、補強枠８としては、パンチングメタルに限らず、骨枠構造のようなものでもよい。
【００２１】
【発明の効果】
請求項１に係る発明のラインフィルターによれば、被濾液入口部を円筒状本体の一端部ぎりぎりの位置に設けたことにより、ラインフィルターを使用した後、ラインフィルター内部を洗浄するために被濾液入口より洗浄液を流し込む際に、被濾液入口からそのまま真っ直ぐ濾過体を通過した液体が内部の蓋体内側面側近傍で対流する、いわゆる死角部ができなくなり、蓋体の内側面部分、この内側面部分に近い濾過体端部をも十分に洗浄することができ、従って円筒状本体の内部、濾過体及び補強枠の全体を隅々まで有効に洗浄することができる。
【００２２】
請求項２に記載のように、被濾液入口を、その内周面の外側端が円筒状本体の一端側開口部を閉塞している蓋体の内側面上に略位置するように設けた場合は、蓋体内側面と被濾液入口との間に死角部ができないようにするのに最も有効となる。
【００２３】
請求項２に記載のように、円筒状本体の所要部に点検用覗き窓を設けた場合には、その点検用覗き窓を通して、円筒状本体の内部での濾液の濾過状態や濾過体の目の詰まり状態その他を確認することができ、迅速にその対策を講じることができる。
【図面の簡単な説明】
【図１】本発明に係るラインフィルターの一実施形態を示す半断面正面図
である。
【図２】図２は同ラインフィルターの平面図である。
【図３】同ラインフィルターの一端部側の拡大詳細断面図である。
【符号の説明】
１              円筒状本体
２              被濾液入口
２ａ            被濾液入口の内周面
Ｓ              被濾液入口内周面の外側端
３              濾液出口
４              濾過体
５              被濾液導入部
６              蓋体
６ａ            蓋体の内側面
１８            点検用覗き窓
【図１】
2004275812.tif 000003
【図２】
2004275812.tif 000004
【図３】
2004275812.tif 000005